(57)【要約】【課題】光ディスク再生処理の高速化を図る。【解決手段】ＣＤ規格の光ディスクのリードイン領域から予め記録されるサブコード情報を読み出して、当該サブコード情報のＲ〜Ｗチャンネルデータに基づくＣＤ−ＴＥＸＴ規格に応じたＴＥＸＴ情報のデコード／再生を行うＣＤ−ＴＥＸＴ再生装置において、前記リードイン領域から読み出された前記サブコード情報のＱチャンネルデータに基づいてＴＯＣ情報のデコードが行われるのと並行して、前記読み出されたサブコード情報のＲ〜Ｗチャンネルデータに基づいて前記ＴＥＸＴ情報のデコードを行いつつ前記ＴＥＸＴ情報の有無の判別を行うＣＤ−ＴＥＸＴデコーダを有すること、とする。【選択図】図１
2005327410.tif 000002
【特許請求の範囲】
【請求項１】
ＣＤ規格の光ディスクのリードイン領域から予め記録されるサブコード情報を読み出して、当該サブコード情報のＲ〜Ｗチャンネルデータに基づくＣＤ−ＴＥＸＴ規格に応じたＴＥＸＴ情報のデコード／再生を行うＣＤ−ＴＥＸＴ再生装置において、
前記リードイン領域から読み出された前記サブコード情報のＱチャンネルデータに基づいてＴＯＣ情報のデコードが行われるのと並行して、前記読み出されたサブコード情報のＲ〜Ｗチャンネルデータに基づいて前記ＴＥＸＴ情報のデコードを行いつつ前記ＴＥＸＴ情報の有無の判別を行うＣＤ−ＴＥＸＴデコーダを有すること、
を特徴とするＣＤ−ＴＥＸＴ再生装置。
【請求項２】
前記ＴＥＸＴ情報は、ヘッダ情報とＴＥＸＴ内容と誤り検出符号にて構成される１パックを複数パック分有して構成されており、
前記ＣＤ−ＴＥＸＴデコーダは、
前記リードイン領域から前記Ｑチャンネルデータが読み出されるのと並行して、前記Ｒ〜Ｗチャンネルデータが前記１パック分読み出される度に、前記１パックに含まれる前記誤り検出符号に基づいて誤り検出を行うこととし、
所定パック数分の前記誤り検出の結果において、正常であった回数が所定基準値を超える場合には前記ＴＥＸＴ情報が「有り」と判別し、正常であった回数が所定基準値を超えない場合には前記ＴＥＸＴ情報が「無し」と判別すること、
を特徴とする請求項１に記載のＣＤ−ＴＥＸＴ再生装置。
【請求項３】
前記ＣＤ−ＴＥＸＴデコーダは、
前記誤り検出の結果において正常と検出された回数をカウントするカウンタと、
前記所定基準値を格納する基準値格納レジスタと、
前記カウンタにおいてカウントされたカウント値と前記基準値格納レジスタに格納された前記所定基準値とを比較する比較器と、を有しており、
前記比較器における比較結果において、前記カウント値が前記所定基準値を超えたことを示す場合には前記ＴＥＸＴ情報が「有り」と判別し、前記カウント値が前記所定基準値を超えないことを示す場合には前記ＴＥＸＴ情報が「無し」と判別すること、
を特徴とする請求項２に記載のＣＤ−ＴＥＸＴ再生装置。
【請求項４】
光ディスク再生システム全体の制御を司るマイクロコンピュータと、
前記デコードされたＴＥＸＴ情報が書き込まれる、前記マイクロコンピュータがアクセス可能なメモリと、を有しており、
前記ＣＤ−ＴＥＸＴデコーダは、
前記Ｒ〜Ｗチャンネルデータが前記１パック分読み出されて前記ＴＥＸＴ情報のデコードが行われる度に、前記デコードされたＴＥＸＴ情報を前記メモリへ書き込むこととし、
前記マイクロコンピュータは、
所望の前記ＴＥＸＴ情報の表示処理を行う場合、前記メモリに予め書き込まれてある前記所望のＴＥＸＴ情報を読み出すこと、
を特徴とする請求項２又は３に記載のＣＤ−ＴＥＸＴ再生装置。
【請求項５】
前記メモリを、ＣＤ−ＲＯＭ規格に応じた誤り訂正を行うためのメモリと共用すること、を特徴とする請求項４に記載のＣＤ−ＴＥＸＴ再生装置。
【請求項６】
前記ＣＤ−ＴＥＸＴデコーダは、
前記比較器における比較結果をフラグ値として格納するフラグ値格納レジスタを有しており、
前記マイクロコンピュータは、
前記フラグ値格納レジスタに格納されたフラグ値を監視することとし、所望の前記ＴＥＸＴ情報の表示処理を行う場合、前記フラグ値が前記ＴＥＸＴ情報が「有り」を示すとき、前記メモリに予め書き込まれてある前記所望のＴＥＸＴ情報を読み出すこと、
を特徴とする請求項４又は５に記載のＣＤ−ＴＥＸＴ再生装置。
【請求項７】
ＣＤ規格の光ディスクのリードイン領域から予め記録されるサブコード情報を読み出して、当該サブコード情報のＲ〜Ｗチャンネルデータに基づくＣＤ−ＴＥＸＴ規格に応じたＴＥＸＴ情報のデコードを行うＣＤ−ＴＥＸＴ処理回路において、
前記リードイン領域から読み出された前記サブコード情報のＱチャンネルデータに基づいてＴＯＣ情報のデコードが行われるのと並行して、前記読み出されたサブコード情報のＲ〜Ｗチャンネルデータに基づいて前記ＴＥＸＴ情報のデコードを行いつつ前記ＴＥＸＴ情報の有無の判別を行うこと、
を特徴とするＣＤ−ＴＥＸＴ処理回路。
【発明の詳細な説明】
【技術分野】
【０００１】
本発明は、ＣＤ−ＴＥＸＴ再生装置およびＣＤ−ＴＥＸＴ処理回路に関する。
【背景技術】
【０００２】
ＣＤ規格に準拠した光ディスクを再生する光ディスク再生システムでは、光ディスクから再生された情報に基づく各種表示がなされている。例えば、ＣＤ規格全般では、リードイン領域に記録されたサブコード情報のうちＱチャンネルデータ（以下、サブＱデータと称する。）に基づいて、トラック番号や各トラック番号に割り当てられた時間情報等が、サブコード情報のサブＱデータとしてリードイン領域に記録される。よって、光ディスク再生システムでは、リードイン領域からサブＱデータを読み出してデコード／再生することによって、各種表示をなすことができる。
【０００３】
さらに、アルバムタイトルや曲名等のＴＥＸＴ情報を、オーディオ情報に付加して光ディスクへ記録するためのＣＤ−ＴＥＸＴ規格が提案されている。なお、ＣＤ−ＴＥＸＴ規格では、ＴＥＸＴ情報が言語の違いによって最大８ブロック分存在するとともに、１ブロックは最大２５５パックまで存在することとなる。最小単位としての１パックは１８バイトで構成され、そのうち２バイトがＣＲＣ（Cyclic Redundancy Check）コードである。ＣＤ−ＴＥＸＴ規格では、前述したフォーマットのＴＥＸＴ情報が、リードイン領域におけるサブコード情報のうちのＲ〜Ｗチャンネルデータ（以下、サブＲ〜Ｗデータと称する。）として記録される。よって、ＣＤ−ＴＥＸＴ規格に準拠した光ディスク再生システム（以下、ＣＤ−ＴＥＸＴ再生装置と称する。）では、リードイン領域からサブＲ〜Ｗデータを読み出してデコード／再生することによって、ＴＥＸＴ情報の表示をなすことができる。
【０００４】
図１３は、従来のＣＤ−ＴＥＸＴ再生装置の構成を示す図である（例えば、以下に示す特許文献１参照）。
【０００５】
光ピックアップ３０１は、光ディスク１００に対してレーザ光を出射してその戻り光を検出することで、光ディスク１００に記録された情報を読み出すものである。プリアンプ３０２は、光ピックアップ３０１において検出された光検出信号を所定増幅率で増幅することによってＲＦ信号を生成するものである。また、プリアンプ３０２では、アナログ信号であるＲＦ信号を２値のデジタル信号へと変換すべく２値化が行われる。ＥＦＭ復調部３０３は、プリアンプ３０２において生成された２値化ＲＦ信号に対してＥＦＭ（Eight to Fourteen Modulation）復調を施すものである。このＥＦＭ復調が施された信号は、サブコードデコーダ３０４に送信される。
【０００６】
サブコードデコーダ３０４は、サブコード情報をデコードするものである。このデコードされたサブコード情報のうち、サブＰ、Ｑデータはマイクロコンピュータ３０６に送信され、サブＲ〜ＷデータはＣＤ−ＴＥＸＴデコーダ３０５に送信されることとなる。なお、サブコードデコーダ３０４は、サブＱデータに含まれるＣＲＣコードに基づいてＣＲＣを行い、サブＱデータのデコード結果が正常であるか否かを検出する。そのＣＲＣ結果はサブＱデータが送信される以前にマイクロコンピュータ３０６へと送信される。よって、マイクロコンピュータ３０６は、サブＱデータのＣＲＣ結果が正常の場合に、サブコードデコーダ３０４からサブＱデータを取得することとなる。
【０００７】
ＣＤ−ＴＥＸＴデコーダ３０５は、サブコードデコーダ３０４から送信されたサブＲ〜Ｗデータに基づいて、ＣＤ−ＴＥＸＴ規格に応じたＴＥＸＴ情報のデコードを行う。また、ＣＤ−ＴＥＸＴデコーダ３０５は、ＴＥＸＴ情報のデコードが行われる毎に、ＴＥＸＴ情報に含まれるＣＲＣコードに基づいてＣＲＣを行い、ＴＥＸＴ情報のデコード結果が正常であるか否かを検出する。そのＣＲＣ結果はマイクロコンピュータ３０６に送信される。マイクロコンピュータ３０６は、ＴＥＸＴ情報のＣＲＣ結果が正常の場合に、ＣＤ−ＴＥＸＴデコーダ３０５からＴＥＸＴ情報のデコード結果であるＴＥＸＴデータを取得することとなる。
【０００８】
マイクロコンピュータ３０６は、光ディスク再生システム、すなわちＣＤ−ＴＥＸＴ再生装置全体を統括的に制御するものである。よって、マイクロコンピュータ３０６は、例えば、光ディスク１００からデコードされたＴＥＸＴ情報の表示を行うべく、サブコードデコーダ３０４から送信されたサブＱデータと、ＣＤ−ＴＥＸＴデコーダ３０５から送信されたＴＥＸＴデータを格納するためのＲＡＭ３０７を設けてある。そして、マイクロコンピュータ３０６は、ＲＡＭ３０７に格納されたサブＱデータに基づいてＴＯＣ（Table Of Contents）情報の解析を行い、所望の楽曲プログラムが記録された光ディスク１００上の位置情報などを取得する。その位置情報に基づいた所望の楽曲プログラムの再生と同期をとりつつ、マイクロコンピュータ３０６は、ＲＡＭ３０７に格納されたＴＥＸＴデータを読み出してＴＥＸＴ情報の表示処理を行うこととなる。
【０００９】
なお、マイクロコンピュータ３０６は、ＣＤ−ＴＥＸＴ再生装置が有する既存の仕組みの流用化を図るべく、近年３２ビット／６４ビットデータバス幅等の高性能なマイクロコンピュータが開発されているにも関わらず、既存の４ビット／８ビットデータバス幅等のマイクロコンピュータを採用する場合が多い。よって、低性能なマイクロコンピュータ３０６を採用する都合上、１サブコーディングフレームに相当する１／７５秒（１３．３ｍｓｅｃ）以内でのサブコードデコーダ３０４から送信されるサブＱデータ（１０バイト）の処理と、１／７５秒毎にＣＤ−ＴＥＸＴデコーダ３０５から送信されるＴＥＸＴデータ（６４バイト）のリアルタイムな処理と、を並列化処理することは困難である。
【００１０】
よって、ＣＤ−ＴＥＸＴ規格に対応した従来のＣＤ−ＴＥＸＴ再生装置では、まずは、リードイン領域をアクセスしてサブコード情報の読み出しを行い、サブコードデコーダ３０４においてサブＱデータのデコード及びＣＲＣを行う。そして、サブＱデータのＣＲＣの結果が正常であったとき、リードイン領域を再アクセスしてサブコード情報の読み出しを再び行い、ＣＤ−ＴＥＸＴデコーダ３０５においてサブＲ〜Ｗデータに基づいてＴＥＸＴ情報のデコード及びＣＲＣを行うのである。
【００１１】
また、マイクロコンピュータ３０６は、ＣＤ−ＴＥＸＴデコーダ３０５からＴＥＸＴデータ及びＣＲＣ結果を取得して、例えば、１パック毎のＴＥＸＴ情報のＣＲＣ結果が連続して正常であればＴＥＸＴ情報が「有り」と判別し、一方、ＣＲＣ結果が連続して正常でなかった場合にＴＥＸＴ情報が「無し」と判別することとなる。
【特許文献１】特開２００３−３６６５０号公報
【発明の開示】
【発明が解決しようとする課題】
【００１２】
従来、光ディスク上におけるＴＥＸＴ情報の記録の有無を判別するためには、サブＱデータのデコード及びＣＲＣの終了と、リードイン領域への再アクセスを待たなければならなかった。また、ＣＤ−ＴＥＸＴ以外のＣＤ規格の光ディスクの場合であっても、光ディスク上にＴＥＸＴ情報が「無し」と判別されるまでには、サブＱデータのデコード及びＣＲＣと、リードイン領域への再アクセスの手順を踏まえた上で、ＴＥＸＴ情報のデコード及びＣＲＣを行わなければならなかった。このことは、ＴＥＸＴ情報の有無の判別処理自体の遅延や、ＴＥＸＴ情報の有無の判別がなされた後に行われる処理として、ＴＥＸＴ情報の表示やオーディオ出力等といった光ディスク再生処理を遅延させる要因となっていた。
【課題を解決するための手段】
【００１３】
前述した課題を解決するための主たる本発明は、ＣＤ規格の光ディスクのリードイン領域から予め記録されるサブコード情報を読み出して、当該サブコード情報のＲ〜Ｗチャンネルデータに基づくＣＤ−ＴＥＸＴ規格に応じたＴＥＸＴ情報のデコード／再生を行うＣＤ−ＴＥＸＴ再生装置において、前記リードイン領域から読み出された前記サブコード情報のＱチャンネルデータに基づいてＴＯＣ情報のデコードが行われるのと並行して、前記読み出されたサブコード情報のＲ〜Ｗチャンネルデータに基づいて前記ＴＥＸＴ情報のデコードを行いつつ前記ＴＥＸＴ情報の有無の判別を行うＣＤ−ＴＥＸＴデコーダを有すること、とする。
【００１４】
また、前述した課題を解決するためのその他の本発明は、ＣＤ規格の光ディスクのリードイン領域から予め記録されるサブコード情報を読み出して、当該サブコード情報のＲ〜Ｗチャンネルデータに基づくＣＤ−ＴＥＸＴ規格に応じたＴＥＸＴ情報のデコードを行うＣＤ−ＴＥＸＴ処理回路において、前記リードイン領域から読み出された前記サブコード情報のＱチャンネルデータに基づいてＴＯＣ情報のデコードが行われるのと並行して、前記読み出されたサブコード情報のＲ〜Ｗチャンネルデータに基づいて前記ＴＥＸＴ情報のデコードを行いつつ前記ＴＥＸＴ情報の有無の判別を行うこと、とする。
【発明の効果】
【００１５】
本発明によれば、光ディスク再生処理の高速化を図ることができる。
【発明を実施するための最良の形態】
【００１６】
＜ＣＤ規格全般＞
図５は、ＣＤ規格（ＣＤ−ＤＡ，ＣＤ−ＲＯＭ，ＣＤ−Ｒ，ＣＤ±ＲＷなど）に準拠した光ディスク１００の物理フォーマットを示すものである。光ディスク１００では、内周から外周に向かって、ＴＯＣ情報が記録されるリードイン領域１１と、オーディオ情報等のプログラムデータが記録されるプログラム領域１２と、プログラム記録の終了を示す領域であるリードアウト領域１３と、が形成される。
【００１７】
ところで、光ディスク１００にオーディオ情報が記録される場合、まず、サンプリング周波数４４．１ｋＨｚ、量子化ビット数１６ビットのサンプリング条件で、オーディオ情報のサンプリングが行われる。なお、サンプリングされた１６ビットのオーディオ情報は、上位／下位８ビットに分割されてそれぞれ１シンボルとして扱われる。そして、ステレオＬ／Ｒチャネルの各６サンプル分に相当する２４シンボルごとに、ＣＩＲＣ(Cross Interleave Reed-Solomon Code)符号化処理やインタリーブ処理が施される。この結果、各４シンボルのＰパリティ及びＱパリティが付加されて、合計３２シンボル分の１フレームが構成される。また、１フレーム中の各シンボルは、ＥＦＭ変調処理が施されて、８ビットから１４ビットへと変換される。
【００１８】
図６は、ＥＦＭ変調後の１フレーム（以下、１ＥＦＭフレーム）のデータ構造を示すものである。図６に示すように、１ＥＦＭフレームは、２４チャンネルビットの同期パターン領域と、１４チャンネルビットのサブコード領域と、３２シンボル×１４チャンネルビット分のプログラム及びパリティデータ領域と、によって構成される。また、３チャネルビットが、各領域を結合するために配置されており、すなわち、１ＥＦＭフレームが、合計５８８ビットによって構成されることとなる。
【００１９】
図７は、１サブコーディングフレームのデータ構造を示すものである。なお、１サブコーディングフレームは、図６に示した１ＥＦＭフレームを９８個分集めて構成されるものである。図７に示すように、１サブコーディングフレームは、フレーム同期パターンと、サブコード部と、データ及びパリティ部と、によって構成される。なお、１サブコーディングフレームは、再生時間の１／７５秒（１３．３ｍ秒）に相当する。
【００２０】
図８は、図７に示した１サブコーディングフレームにおけるサブコード部のデータ構造を示すものである。図８に示すように、先頭フレーム０１、０２は、１サブコーディングフレームの同期パターンＳ０、Ｓ１である。この同期パターンＳ０、Ｓ１は、ＥＦＭ変換方式で規格外な所定の二つのパターンである。さらに、フレーム０３〜９８の各フレームは、それぞれＰ、Ｑ、Ｒ、Ｓ、Ｔ、Ｕ、Ｖ、Ｗチャンネルデータ（以下、サブＰ〜Ｗデータと称する。）を構成する。
【００２１】
なお、サブＰデータは、プログラム間の無音部分（ＰＡＵＳＥ）を表すものであり、プログラム検索時のラフな頭出しのために設けられる。また、サブＱデータは、光ディスク１００上の絶対時間情報や、各プログラムの時間情報、プログラムの識別番号等の情報が含まれ、リードイン領域１１に記録されるＴＯＣ情報として用いられる。
【００２２】
図９は、サブＱデータ及びＴＯＣ情報のデータ構造を示すものである。サブＱデータは、オーディオのチャンネル数、エンファシスなどを識別するための４ビットのコントロールデータと、サブＱデータのモードを示す４ビットのアドレスデータと、７２ビットのデータと、サブＱデータのＣＲＣ用のＣＲＣコードで構成される。
【００２３】
なお、サブＱデータのアドレスデータが「１」のとき、７２ビットのデータは、楽章番号ＴＮＯ、インデックスＸ、楽章内の経過時間（ＭＩＮ、ＳＥＣ、ＦＲＡＭＥ）、オールゼロ、絶対時間（ＡＭＩＮ、ＡＳＥＣ、ＡＦＲＡＭＥ）のフォーマットを構成する。そして、このフォーマットは、ＴＯＣ情報として対応づけられることとなる。すなわち、ＴＯＣ情報は、楽章番号ＴＮＯ、ＰＯＩＮＴ、楽章内の経過時間（ＭＩＮ、ＳＥＣ、ＦＲＡＭＥ）、ＰＯＩＮＴ内容の絶対時間、によって構成されており、合計７２ビットのデータ長を有するのである。なお、ＴＯＣ情報の誤り検出時の再読み出しのために、リードイン領域１１には同一内容を示すＴＯＣ情報が繰り返し記録されている。
【００２４】
＜ＣＤ−ＴＥＸＴ規格＞
ＣＤ−ＴＥＸＴ規格は、音楽用ＣＤに、タイトル(Ｔｉｔｌｅ)、演奏者(Ｐｅｒｆｏｒｍｅｒ)、作詞(Ｓｏｎｇｗｒｉｔｅｒ)、作曲(Ｃｏｍｐｏｓｅｒ)、 編曲(Ａｒｒａｎｇｅｒ)、メッセージ(Ｍｅｓｓａｇｅ)等のＴＥＸＴ情報を記録するための規格のことであり、最大８カ国の言語に対応できる。また、ＣＤ−ＴＥＸＴ規格は、サブＲ〜Ｗデータまでの６チャンネル分のサブコード情報を用いてＴＥＸＴ情報を構成して、リードイン領域１１に記録するものである。
【００２５】
図１０は、ＣＤ−ＴＥＸＴ規格の概略を示すものである。リードイン領域１１において、一つの言語に対応したＴＥＸＴ群単位で記録される。なお、一つのＴＥＸＴ群は、最大８個のブロックによって構成されており、また、各ブロックはパック０〜ｎ（最大２５５パック）によって構成される。ここで、１パックとは、ＣＤ−ＴＥＸＴ規格におけるＴＥＸＴ情報の最小単位のことである。１パックは、図１１に示すように、４バイトのＩＤ１〜ＩＤ４と、１２バイトのＴＥＸＴ内容と、２バイトのＣＲＣコードと、の合計１８バイトによって構成される。また、図１２に示すように、一つのＴＥＸＴ群における１ブロック内において、１／７５秒の周期を有する同期パターンＳ０、Ｓ１に同期して、４パックで構成される１パケットが記録されるよう設定されている。
【００２６】
なお、４バイトのＩＤ１〜ＩＤ４は、１パックのヘッダ情報のことである。なお、ＩＤ１は、１パックに記録されるＴＥＸＴ情報の種別を示す識別コードである。例えば、アルバム名／プログラム名、演奏者、作詞者、作曲者などである。ＩＤ２は、１から９９までのトラックナンバーが記録される。なお、ＩＤ２のＭＳＢ（最上位１ビット）は予約領域とされており、常に「０」である。ＩＤ３は、パックに付与されたシーケンスナンバーである。例えば、１ブロック内におけるパックのシーケンスナンバーは、「０」〜「２５５」となる。ＩＤ４は、１ビットのＤＢＣＣ（Double Byte Character Code）と、３ビットのブロックナンバーと、文字位置を示す４ビットとからなる。
【００２７】
また、２バイトのＣＲＣコードは、ＩＤ１〜ＩＤ４のヘッダ情報とＴＥＸＴ情報の合計１６バイトに対する誤り検出符号である。なお、ＣＤ−ＴＥＸＴ規格のフォーマットでは、ＣＲＣによってデータ誤りが検出された場合、誤り訂正は行わずに、再びリードイン領域１１からサブＲ〜Ｗデータの読み出しが行われるよう設定されている。
【００２８】
＜ＣＤ−ＴＥＸＴ再生装置の構成＞
図１は、本発明の一実施形態に係るＣＤ−ＴＥＸＴ再生装置の構成を示す図である。なお、本発明に係るＣＤ−ＴＥＸＴ再生装置は、オーディオ情報の再生に係るＣＤ−ＤＡ規格、特にそのＣＤ−ＤＡ規格に含まれるＣＤ−ＴＥＸＴ規格と、コンピュータ向けアプリケーション等のデジタル情報の再生に係るＣＤ−ＲＯＭ規格に対応したものである。さらに、光ディスク記録に関するＣＤ−Ｒ規格やＣＤ−ＲＷ規格などにも対応した光ディスク記録再生システムとしてもよい。
【００２９】
光ピックアップ１０１は、レーザ素子、対物レンズ、光検出器やさらにはサーボ機構など（いずれも不図示）によって構成されており、光ディスク１００に対してレーザ光を出射してその戻り光を検出することで、光ディスク１００に記録された情報を読み出すものである。
【００３０】
プリアンプ１０２は、光ピックアップ１０１において検出された信号を所定増幅率で増幅することによってＲＦ信号を生成するものである。また、プリアンプ１０２では、アナログ信号であるＲＦ信号を２値のデジタル信号へと変換すべく２値化が行われる。さらに、プリアンプ１０２では、トラッキングエラー信号やフォーカスエラー信号などのサーボ制御信号が生成されて、サーボ信号処理部１０４に送信される。
【００３１】
ＥＦＭ復調部１０３は、プリアンプ１０２において生成された２値化ＲＦ信号に対してＥＦＭ復調を施すものである。このＥＦＭ復調が施された信号は、オーディオ情報の場合にはＣＩＲＣ誤り訂正部（Cross Interleave Reed Solomon）１０７に送信され、サブコード情報の場合にはサブコードデコーダ１１３に送信される。なお、プリアンプ１０２において生成された２値化ＲＦ信号は、不図示のＰＬＬ回路に送信されてビットクロック信号が生成される。
【００３２】
サーボ信号処理部１０４は、プリアンプ１０２から送信されたサーボ制御信号や、前述したビットクロック信号に基づいて、ドライバ１０５を介して、光ピックアップ１０１が備える各種サーボ機構の駆動制御や、スピンドルモータ１０６の駆動制御を行うものである。
【００３３】
ＣＩＲＣ誤り訂正部１０７は、ＥＦＭ復調部１０３から送信されたオーディオ情報に関するＥＦＭ復調後の信号を一旦ＲＡＭ１０８に格納する。そして、ＲＡＭ１０８に格納されたＥＦＭ復調後の信号に対して、ＣＩＲＣ方式によるＣ１系列、Ｃ２系列のＲｅｅｄ−Ｓｏｌｏｍｏｎ符号に基づいた誤り訂正を施すのである。
【００３４】
ここで、光ディスク１００のプログラム領域にオーディオ情報が記録されてある場合には、ＣＩＲＣ誤り訂正部１０７における誤り訂正の結果、デジタルオーディオ信号がデコードされる。このデコードされたデジタルオーディオ信号は、Ｄ／Ａ変換器１０９によってアナログオーディオ信号に変換されて、ＬｃｈおよびＲｃｈ端子を介して外部にオーディオ出力される。
【００３５】
また、光ディスク１００のプログラム領域にＣＤ−ＲＯＭ規格のデジタル情報が記録されてある場合には、ＣＩＲＣ誤り訂正部１０７における誤り訂正の結果、ＣＤ−ＲＯＭ規格に応じたデジタル信号がデコードされる。なお、ＣＤ−ＲＯＭ規格では、コンピュータ向けの高信頼性なビット誤り率（１０のマイナス１２乗）を補償すべく、ＣＩＲＣ誤り訂正以外にも、Ｐ系列、Ｑ系列のＲｅｅｄ−Ｓｏｌｏｍｏｎ符号に基づいた誤り訂正を施すよう規定されている。
【００３６】
ＣＤ−ＲＯＭ誤り訂正部１１０は、このＣＤ−ＲＯＭ用の誤り訂正を行うものであり、その作業用メモリとしてＲＡＭ１１１が設けられている。すなわち、ＣＩＲＣ誤り訂正部１０７においてデコードされたデジタル信号が、一旦ＲＡＭ１１１に格納される。そして、ＲＡＭ１１１に格納されたデジタル信号に対して、Ｐ系列、Ｑ系列のＲｅｅｄ−Ｓｏｌｏｍｏｎ符号に基づいた誤り訂正が施された結果、ＣＤ−ＲＯＭ規格に応じたデジタル信号のデコードが終了する。このデコードされたデジタル信号は、ＡＴＡＰＩ(ATA Packet Interface)やＳＣＳＩ（Small Computer System Interface）などのインタフェース部１１２を介して外部のコンピュータ等に出力される。
【００３７】
サブコードデコーダ１１３は、光ディスク１００のリードイン領域１１に記録されてあるサブＰ〜Ｗデータで構成されるサブコード情報をデコードするものである。このデコードされたサブコード情報のうち、サブＰ、Ｑデータはマイクロコンピュータ１１５に送信されるとともに、サブＲ〜ＷデータはＣＤ−ＴＥＸＴデコーダ１１４に送信されることとなる。なお、サブコードデコーダ１１３は、１／７５秒以内に検出されたサブＱデータに含まれるＣＲＣコードに基づいてＣＲＣを行い、サブＱデータのデコード結果が正常であるか否かを検出する。そのＣＲＣ結果はサブＱデータが送信される以前にマイクロコンピュータ１１５へと送信される。よって、マイクロコンピュータ１１５は、サブＱデータのＣＲＣ結果が正常の場合に、サブコードデコーダ１１３からサブＱデータを取得することとなる。
【００３８】
ＣＤ−ＴＥＸＴデコーダ（『ＣＤ−ＴＥＸＴ処理回路』）１１４は、サブコードデコーダ１１３から送信されたサブＲ〜Ｗデータに基づいて、ＣＤ−ＴＥＸＴ規格に応じたＴＥＸＴ情報のデコードを行う。さらに、ＴＥＸＴ情報のデコードが行われる毎に、ＴＥＸＴ情報に含まれるＣＲＣコードに基づいてＣＲＣを行い、ＴＥＸＴ情報のデコード結果が正常であるか否かを検出する。このＴＥＸＴ情報のＣＲＣ結果は、光ディスク１００上におけるＴＥＸＴ情報の記録の有無を判別するために用いられる。
【００３９】
すなわち、ＣＤ−ＴＥＸＴデコーダ１１４は、サブコードデコーダ１１３およびマイクロコンピュータ１１５によって、光ディスク１００のリードイン領域１１から読み出されたサブＱデータに基づいてＴＯＣ情報の解析が行われるのと並行して、同時に読み出されたサブコード情報のサブＲ〜Ｗデータに基づいてＴＥＸＴ情報のデコードを行いつつＴＥＸＴ情報の有無の判別を行うのである。  
なお、ＴＥＸＴ情報のデコード結果であるＴＥＸＴデータと併せて、マイクロコンピュータ１１５が介在することなく、ＲＡＭ１１１に順次格納される。
【００４０】
マイクロコンピュータ１１５は、ＣＤ−ＴＥＸＴ再生装置全体の制御を司るものである。例えば、マイクロコンピュータ１１５は、光ディスク１００からデコードされたＴＥＸＴ情報の表示を行うべく、サブコードデコーダ１１３から送信されたサブＱデータに基づいてＴＯＣ情報の解析を行い、所望の楽曲プログラムが記録された光ディスク１００上の位置情報などを取得する。そして、この位置情報に基づいて光ピックアップ１０１のサーボ制御がなされ、所望の楽曲プログラムの読み出し再生が行われる。
【００４１】
また、マイクロコンピュータ１１５は、光ディスク１００にＴＥＸＴ情報が記録されている場合、所望の楽曲プログラムの再生と同期をとりながら所望の楽曲プログラムに対応したＴＥＸＴ情報の表示処理を行うべく、適宜なタイミングで、ＲＡＭ１１１に既に格納されてある所望のＴＥＸＴデータを検索するとともに取得する。そして、ＲＡＭ１１１から取得したＴＥＸＴデータに対して所定の表示処理が施されて外部の表示装置に出力されるのである。
【００４２】
なお、前述した、プリアンプ１０２およびドライバ１０５は、通常、ＣＤ用アナログ信号処理回路として実施され、ＥＦＭ復調部１０３、サーボ信号処理部１０４、ＣＩＲＣ誤り訂正部１０７、ＲＡＭ１０８、Ｄ／Ａ変換器１０９、ＣＤＲＯＭ誤り訂正部１１０、ＲＡＭ１１１、インタフェース部１１２、サブコードデコーダ１１３、ＣＤ−ＴＥＸＴデコーダ１１４は、通常、ＣＤ用デジタル信号処理回路として実施される。また、本発明に係るＣＤ−ＴＥＸＴ信号処理回路は、ＣＤ−ＴＥＸＴデコーダ１１４として実施されるものである。
【００４３】
＜ＣＤ−ＴＥＸＴデコーダの構成＞
図２は、本発明の一実施形態にかかるＣＤ−ＴＥＸＴデコーダ１１４の構成を示すブロック図である。
【００４４】
１パック検出部２００は、サブコードデコーダ１１３から１／７５秒の周期を有する同期パターンＳ０、Ｓ１に基づき１パケット（４パック）単位で順次送信されるサブＲ〜Ｗデータに対して、１パック分のサブＲ〜Ｗデータを検出するとともに、その１パック分のサブＲ〜Ｗデータから１パック分のＴＥＸＴデータをデコードするものである。このデコードされた１パック分のＴＥＸＴデータは、ＴＥＸＴデータレジスタ２０１に順次格納される。なお、ＴＥＸＴデータレジスタ２０１に格納される１パック分のＴＥＸＴデータは、ＣＲＣコードを除いた４バイト分のヘッダ情報ＩＤ１〜ＩＤ４と、１２バイト分のＴＥＸＴ内容とによって構成される。
【００４５】
ＣＲＣ処理部２０２は、デコードされた１パック分のＴＥＸＴデータに含まれるＣＲＣコードに基づいてＣＲＣを行うものであり、そのＣＲＣ結果は、ＣＲＣ結果レジスタ２０３に順次格納される。なお、ＣＲＣ結果は、例えば、ＣＲＣ方式に基づいた誤り検出がなされず正常の場合は「１」、誤り検出がなされた正常でない場合は「０」を示すこととする。
【００４６】
ＲＡＭ書き込み制御部２０４は、マイクロコンピュータ１１５から供給されるイネーブル信号に基づいて、ＲＡＭ１１１への書き込み許可／禁止が設定される。ＲＡＭ１１１への書き込みが許可された場合、ＲＡＭ書き込み制御部２０４は、ＴＥＸＴデータレジスタ２０１に格納された１パック分のＴＥＸＴデータと、ＣＲＣ結果レジスタ２０３に格納されたＣＲＣ結果を、ＲＡＭ１１１に順次書き込んでいく。
【００４７】
ＣＲＣ正常回数カウンタ２０５、基準値格納レジスタ２０６、比較器２０７、フラグ値格納レジスタ２０８は、所定パック数分のＴＥＸＴデータに対するＣＲＣ結果において、正常であった回数が所定基準値を超える場合にはＴＥＸＴ情報が「有り」と判別し、正常であった回数が所定基準値を超えない場合にはＴＥＸＴ情報が「無し」と判別するために設けたものである。なお、所定パック数とは、例えば、ＴＥＸＴ情報の最小単位である４パック（１パケット）とすることができる。すなわち、４パック分のＣＲＣ結果に基づいてＴＥＸＴ情報の有無の判別がなされることによって、ＴＥＸＴ情報の有無を速やかに判別することができるのである。以下、この場合の、ＣＲＣ正常回数カウンタ２０５、基準値格納レジスタ２０６、比較器２０７、フラグ値格納レジスタ２０８の構成について説明する。
【００４８】
ＣＲＣ正常回数カウンタ２０５は、４パック分のＴＥＸＴデータに対するＣＲＣ結果において正常であった回数をカウントする。そして、４パック分検出されるごとにカウントされたカウント値がリセットされて、つぎの４パック分のＴＥＸＴデータについてのカウント動作を行うこととする。
【００４９】
基準値格納レジスタ２０６は、比較器２０７においてＣＲＣ正常回数カウンタ２０５のカウント値との比較を行う所定基準値を格納するレジスタである。なお、所定基準値は、マイクロコンピュータ１１５によって、例えば、４パック分のＣＲＣ結果に応じたカウント値に対して「２回」や「４回」として設定される。
【００５０】
比較器２０７は、ＣＲＣ正常回数カウンタ２０５においてカウントされたカウント値と、基準値格納レジスタ２０６に格納された所定基準値との比較を行うものである。この比較結果において、カウント値が所定基準値を超えたことを示す場合にはＴＥＸＴ情報が「有り」と判別され、カウント値が所定基準値を超えないことを示す場合にはＴＥＸＴ情報が「無し」と判別される。
【００５１】
フラグ値格納レジスタ２０８は、比較器２０７における比較結果をフラグ値として格納するレジスタである。このフラグ値格納レジスタ２０８に格納されたフラグ値は、マイクロコンピュータ１１５によって常時若しくは適宜なタイミングで監視されることとする。よって、マイクロコンピュータ１１５は、所望のＴＥＸＴ情報の表示処理を行う場合に、フラグ値格納レジスタ２０８に格納されたフラグ値がＴＥＸＴ情報が「有り」を示すとき、ＲＡＭ１１１に予め書き込まれてある所望のＴＥＸＴ情報に相当するＴＥＸＴデータを検索するとともに読み出し取得するのである。
【００５２】
＜ＣＤ−ＴＥＸＴ再生装置の動作＞
本発明の一実施形態にかかるＣＤ−ＴＥＸＴ再生装置の動作を、図３、図４に示すフローチャートに基づいて説明する。
【００５３】
＜＜ＴＥＸＴデータの書き込み＞＞
図３に示すフローチャートは、ＣＤ−ＴＥＸＴデコーダ１１４において、サブＱデータに基づいたＴＯＣ情報の解析と並行して行われるＴＥＸＴデータおよびそのＣＲＣ結果のＲＡＭ１１１への書き込み動作について説明するものである。なお、以下では、説明の都合上、ＣＤ−ＴＥＸＴデコーダ１１４において、ＴＥＸＴ情報を構成するブロック群のうち、１ＥＦＭフレーム内の４パック分の処理が行われるまでについて説明する。
【００５４】
まず、マイクロコンピュータ１１５は、光ディスク１００のリードイン領域１１に記録されているサブコード情報を読み出すべく、サーボ信号処理部１０４に対して光ピックアップ１０１のサーボ制御を稼動させる（Ｓ３００）。この結果、リードイン領域１１からサブコード情報が読み出され、プリアンプ１０２において増幅された後、ＥＦＭ復調部１０３においてＥＦＭ復調がなされてサブコードデコーダ１１３に送信される。そして、サブコードデコーダ１１３において、ＥＦＭ復調後のサブコード情報のデコードが行われる（Ｓ３０１）。
【００５５】
つぎに、サブコードデコーダ１１３は、デコードされたサブコード情報に基づいて、サブＱデータの検出ならびにＣＲＣを行う（Ｓ３０２）。また、そのサブＱデータのＣＲＣ結果はマイクロコンピュータ１１５に送信される（Ｓ３０３、Ｓ３０４）。マイクロコンピュータ１１５は、サブコードデコーダ１１３から送信されたＣＲＣ結果が正常であるか否かの判定を行い（Ｓ３０４）、そのＣＲＣ結果が正常の場合（Ｓ３０４：ＹＥＳ）、サブコードデコーダ１１３から検出されたサブＱデータの取得を行う（Ｓ３０６〜Ｓ３０８）。一方、ＣＲＣ結果が正常でなかった場合（Ｓ３０４：ＮＯ）、リードイン領域１１からサブコード情報の再読み出しを行う。
【００５６】
ところで、サブコードデコーダ１１３において、ＥＦＭ復調後のサブコード情報のデコードが行われた際に（Ｓ３０１）、ＣＤ−ＴＥＸＴデコーダ１１４に対してサブＲ〜Ｗデータの送信が行われる。このとき、サブコードデコーダ１１３からＣＤ−ＴＥＸＴデコーダ１１４に対して、１／７５秒の周期を有する同期パターンＳ０、Ｓ１に基づき１パケット（４パック）単位のサブＲ〜Ｗデータが順次送信される。そして、ＣＤ−ＴＥＸＴデコーダ１１４では、１パック検出部２００において、１パック分のサブＲ〜Ｗデータの検出が行われるとともに、その１パック分のサブＲ〜Ｗデータから１パック分のＴＥＸＴデータのデコードがなされる（Ｓ３０９）。このデコードされた１パック分のＴＥＸＴデータは、ＴＥＸＴデータレジスタ２０１に順次格納される。
【００５７】
また、ＣＲＣ処理部２０２において、デコードされた１パック分のＴＥＸＴデータに含まれるＣＲＣコードに基づいてＣＲＣが行われ、そのＣＲＣ結果はＣＲＣ結果レジスタ２０３に順次格納される。このＣＲＣ結果の格納と並行して、ＣＲＣ正常回数カウンタ２０５において、ＣＲＣ結果において正常であった回数のカウント動作がなされる（Ｓ３１２）。
【００５８】
そして、ＣＤ−ＴＥＸＴデコーダ１１４は、ＲＡＭ書き込み制御部２０４によって、ＴＥＸＴデータレジスタ２０１に格納された１パック分のＴＥＸＴデータならびにＣＲＣ結果レジスタ２０３に格納されたＣＲＣ結果を、ＲＡＭ１１１に順次書き込んでいく（Ｓ３１３）。そして、１ＥＦＭフレーム内に含まれる４パック分、（Ｓ３０９〜Ｓ３１３）までのステップを繰り返し行う。なお、ＴＥＸＴ情報は、前述したようにブロック群単位で構成されるため、その全てのＥＦＭフレームの全パック分の処理が行われるまで、（Ｓ３０９〜Ｓ３１４）までのステップが繰り返し行われることは言うまでもない。
【００５９】
＜＜ＴＥＸＴデータの読み出し＞＞
図４に示すフローチャートは、マイクロコンピュータ１１５において、ＴＥＸＴデータが「有り」と判別された場合にＲＡＭ１１１から所望のＴＥＸＴデータが読み出されるまでの動作を説明するものである。
【００６０】
まず、マイクロコンピュータ１１５は、予め、ＣＤ−ＴＥＸＴデコーダ１１４に対して、基準値格納レジスタ２０６に格納される基準値を設定しておく（Ｓ４００）。ここで、ＣＤ−ＴＥＸＴデコーダ１１４では、ＣＲＣ正常回数カウンタ２０５においてカウント動作が行われるに従って、比較器２０７ではＣＲＣ正常回数カウンタ２０５におけるカウント値と、基準値格納レジスタ２０６に格納された基準値との比較が行われる。ここで、カウント値が基準値を超えた場合には（Ｓ４０１：ＹＥＳ）、ＴＥＸＴ情報が「有り」と判別すべく、フラグ値格納レジスタ２０８に格納されるフラグ値を「１」に設定する（Ｓ４０２）。また、カウント値が基準値を超えない場合には、ＴＥＸＴ情報が「無し」と判別すべく、フラグ値格納レジスタ２０８に格納されるフラグ値を「０」に設定する（Ｓ４０３）。
【００６１】
マイクロコンピュータ１１５は、フラグ値格納レジスタ２０８に格納されるフラグ値が「１」を示すか否かの監視を行っている（Ｓ４０４〜Ｓ４０５）。ここで、フラグ値が「１」を割り込み要因として（Ｓ４０５：ＹＥＳ）、ＲＡＭ１１１にはＴＥＸＴ情報が格納されている場合となるので、所望のＴＥＸＴ情報を表示する等の適宜なタイミングで、ＲＡＭ１１１から所望のＴＥＸＴデータおよびそのＣＲＣ結果の読み出しを行う（Ｓ４０６〜Ｓ４０８）。そして、マイクロコンピュータ１１５は、ＲＡＭ１１１から取得したＴＥＸＴデータのＣＲＣ結果が正常であるか否かを判別して、そのＣＲＣ結果が正常であった場合にはＲＡＭ１１１から取得したＴＥＸＴデータに相当するＴＥＸＴ情報の表示処理を行うのである。
【００６２】
＜効果の実例＞
図１３に示したような従来の場合、光ディスク１００のリードイン領域１１からサブコード情報を読み出して、ＴＯＣ情報をデコード／再生するためのサブＱデータを取得した後、ＴＥＸＴ情報のデコード／再生を行うべく、リードイン領域１１を再アクセスして再びサブコード情報の読み出しがなされていた。一方、本発明の場合、リードイン領域１１から読み出されたサブコード情報のサブＱデータに基づいてＴＯＣ情報のデコード／再生が行われるのと並行して、その読み出されたサブコード情報のサブＲ〜Ｗデータに基づいてＴＥＸＴ情報のデコードを行われつつＴＥＸＴ情報の有無の判別が行われるので、従来の場合のようにＴＥＸＴ情報のデコード／再生を行うためのリードイン領域１１への再アクセスを行う必要がなくなる。このため、本発明の場合、ＴＥＸＴ情報の有無の判別が高速に行われるようになり、ひいては、ＴＥＸＴ情報の有無の判別がなされた後に行われる処理としてＴＥＸＴ情報の表示やオーディオ出力等といった光ディスク再生処理が高速に行われることとなる。
【００６３】
図１３に示したような従来の場合、マイクロコンピュータ３０６は、ＴＥＸＴ情報の有無を判別すべく、１／７５秒の周期を有する同期パターンＳ０、Ｓ１に基づき１パケット（４パック）単位で順次送信されるＴＥＸＴデータのＣＲＣ結果をリアルタイムに取得して、そのＣＲＣ結果が連続して正常であるか否かを検出していた。一方、本発明の場合、マイクロコンピュータ１１５は、フラグ値格納レジスタ２０８に格納されたフラグ値に基づいてＴＥＸＴ情報の有無の判別を行うので、従来の場合におけるリアルタイムな処理を伴わない。このため、本発明の場合、マイクロコンピュータ１１５は、ＴＥＸＴ情報の有無の判別ならびにその後のＴＥＸＴ情報の再生処理等を、処理負荷の増加を抑えつつ高速に行えるのである。
【００６４】
図１３に示したような従来の場合、マイクロコンピュータ３０６が、ＣＤ−ＴＥＸＴデコーダ３０５においてデコードされた全てのＴＥＸＴデータをリアルタイムで取得していた。一方、本発明の場合、マイクロコンピュータ１１５は、フラグ値格納レジスタ２０８に格納されたフラグ値がＴＥＸＴ情報が「有り」を示すとき、適宜なタイミングでＲＡＭ１１１から所望のＴＥＸＴデータのみを取得することができるため、従来の場合のようにＣＤ−ＴＥＸＴデコーダ３０５においてデコードされた全ＴＥＸＴデータを取得しなくて済む。このため、本発明の場合、マイクロコンピュータ１１５は、ＴＥＸＴ情報の有無の判別ならびにその後のＴＥＸＴ情報の再生処理等を、処理負荷の増加を抑えつつ高速に行えるようになる。さらに、本発明の場合、マイクロコンピュータ１１５は、図１３に示したＴＥＸＴデータ格納用のＲＡＭ３０７を設ける必要がなくなり、その構成を簡略化できる。
【００６５】
また、本発明の場合、ＣＤ−ＴＥＸＴデコーダ１１４においてデコードされたＴＥＸＴデータおよびＣＲＣ結果を格納するためのメモリとして、ＣＤ−ＲＯＭ規格の誤り訂正を行うための作業用メモリであるＲＡＭ１１１を共用することとしたが、これに限定されるものではなく新たにＴＥＸＴデータ格納専用のメモリを設けてもよい。しかしながら、ＣＤ−ＲＯＭ規格以外のＣＤ規格に対応した光ディスク１００が装着された場合、ＣＤ−ＲＯＭ用のデコード処理は行われないため、ＣＤ−ＲＯＭ誤り訂正部１１０やＲＡＭ１１１が稼動することはない。ここで、ＣＤ−ＴＥＸＴデコーダ１１４においてＴＥＸＴデータがデコードされる場合とは、ＣＤ−ＲＯＭ規格以外のＣＤ規格に対応した光ディスク１００に他ならず、ＴＥＸＴデータおよびＣＲＣ結果を格納するメモリとしてＲＡＭ１１１を共用する方が、新たにメモリを設ける必要がなくなり、ＣＤ−ＴＥＸＴ再生装置の構成の簡略化が図れることとなる。
【００６６】
以上、本実施の形態について説明したが、前述した実施例は、本発明の理解を容易にするためのものであり、本発明を限定して解釈するためのものではない。本発明は、その趣旨を逸脱することなく、変更／改良され得るととともに、本発明にはその等価物も含まれる。
【図面の簡単な説明】
【００６７】
【図１】本発明の一実施形態に係るＣＤ−ＴＥＸＴ再生装置の構成を示す図である。
【図２】本発明の一実施形態に係るＣＤ−ＴＥＸＴデコーダの構成を示す図である。
【図３】本発明の一実施形態に係る光ディスク再生処理の流れを示すフローチャートである。
【図４】本発明の一実施形態に係る光ディスク再生処理の流れを示すフローチャートである。
【図５】光ディスクの物理フォーマットを示す図である。
【図６】１ＥＦＭフレームのデータ構造を示す図である。
【図７】１サブコーディングフレームのデータ構造を示す図である。
【図８】１サブコーディングフレーム中のサブコード部のデータ構造を示す図である。
【図９】ＱチャンネルデータとＴＯＣデータのデータ構造を示す図である。
【図１０】ＣＤ−ＴＥＸＴ規格の概略を示す図である。
【図１１】１パックのデータ構造を示す図である。
【図１２】１ブロック中におけるＴＥＸＴ情報のフォーマットを示す図である。
【図１３】従来のＣＤ−ＴＥＸＴ再生装置の構成を示す図である。
【符号の説明】
【００６８】
１１  リードイン領域
１２  プログラム領域
１３  リードアウト領域
１００  光ディスク                      １０１、３０１  光ピックアップ
１０２、３０２  プリアンプ              １０３、３０３  ＥＦＭ復調部
１０４  サーボ信号処理部                １０５  ドライバ
１０６  スピンドルモータ                １０７  ＣＩＲＣ誤り訂正部
１０８  ＲＡＭ                          １０９  Ｄ／Ａ変換器
１１０  ＣＤ−ＲＯＭ誤り訂正部          １１１  ＲＡＭ
１１２  インタフェース部                １１３、３０４  サブコードデコーダ
１１４、３０５  ＣＤ−ＴＥＸＴデコーダ  １１５、３０６  マイクロコンピュータ
２００  １パック検出部                  ２０１  ＴＥＸＴデータレジスタ
２０２  ＣＲＣ処理部                    ２０３  ＣＲＣ結果レジスタ
２０４  ＲＡＭ書き込み制御部            ２０５  ＣＲＣ正常回数カウンタ
２０６  基準値格納レジスタ              ２０７  比較器
２０８  フラグ値格納レジスタ            ３０７  ＲＡＭ
【図１】
2005327410.tif 000003
【図２】
2005327410.tif 000004
【図３】
2005327410.tif 000005
【図４】
2005327410.tif 000006
【図５】
2005327410.tif 000007
【図６】
2005327410.tif 000008
【図７】
2005327410.tif 000009
【図８】
2005327410.tif 000010
【図９】
2005327410.tif 000011
【図１０】
2005327410.tif 000012
【図１１】
2005327410.tif 000013
【図１２】
2005327410.tif 000014
【図１３】
2005327410.tif 000015